(57)【要約】    【課題】電力消費を低減できるビデオ再生システムおよびそのビデオ再生方法を提供する。    【解決手段】ビデオ再生システムおよびそのビデオ再生方法。ビデオ再生システムはディスプレーパネルと、ＣＣＩＲビデオ信号を出力するビデオプレーヤーと、ＣＣＩＲ変換器およびタイミングコントローラを含む制御回路とを含む。ＣＣＩＲ変換器はＣＣＩＲビデオ信号を受け取り、それを画像データに変換する。タイミングコントローラは画像データを受け取って、パネルを制御するためのタイミング制御信号とピクセルデータとを出力する。【選択図】図２
2006042305.tif 000002
【特許請求の範囲】
【請求項１】
ＣＣＩＲビデオ信号を出力するビデオプレーヤーと、
前記ＣＣＩＲビデオ信号を受け取りそれを画像データに変換するＣＣＩＲ変換器、ならびに前記画像データを受け取って、タイミング制御信号およびピクセルデータを出力するタイミングコントローラを含む制御回路と、
前記ピクセルデータおよび前記タイミング制御信号を受け取り、画像フレームを表示するようにパネルを制御するディスプレーパネルとを含むビデオ再生システム。
【請求項２】
前記ＣＣＩＲ変換器が、
前記ＣＣＩＲビデオ信号を受け取るＣＣＩＲインターフェースと、
前記ＣＣＩＲビデオ信号から前記タイミング制御信号を抽出する同期信号発生器と、
前記ＣＣＩＲインターフェースを介して前記ＣＣＩＲビデオ信号を受け取り、前記画像データを出力する信号変換器とを含む、請求項１記載のビデオ再生システム。
【請求項３】
前記信号変換器が、
前記ＣＣＩＲビデオ信号を受け取ってＲＧＢビデオ信号を出力する変換ユニットと、
前記ＲＧＢビデオ信号を受け取ってそのスケーリングを行い、前記画像データを出力するスケーラとを含む、請求項２記載のビデオ再生システム。
【請求項４】
前記ＣＣＩＲビデオ信号および前記画像データがディジタル形式である、請求項１ないし３のいずれかに記載のビデオ再生システム。
【請求項５】
前記ビデオプレーヤーが、
符号化されたデータを受け取ってそれを復号化し、復号化されたデータを出力するＭＰＥＧデコーダと、
前記復号化されたデータを受け取ってビデオデータを出力するビデオプロセッサと、
前記ビデオデータを受け取って前記ＣＣＩＲデータを出力する画像エンコーダとを含む、請求項１ないし４のいずれかに記載のビデオ再生システム。
【請求項６】
ＣＣＩＲ変換器を使用してＣＣＩＲビデオ信号を受け取りそれを画像データに変換することと、
タイミングコントローラを使用して前記画像データを受け取り、ピクセルデータおよびタイミング制御信号を出力することと、
前記ピクセルデータおよび前記タイミング制御信号に応じて画像フレームをディスプレーパネルに表示することとを含む、ビデオ再生方法。
【請求項７】
前記ＣＣＩＲ変換器を使用してＣＣＩＲビデオ信号を受け取りそれを画像データに変換する工程が、
前記ＣＣＩＲビデオ信号を受け取ることと、
前記ＣＣＩＲビデオ信号をＲＧＢビデオ信号に変換することと、
前記ＲＧＢビデオ信号のスケーリングを行うことと、
前記画像データを出力することとを含む、請求項６記載のビデオ再生方法。
【請求項８】
前記ＣＣＩＲビデオ信号および前記画像データがディジタル形式である、請求項６または７記載のビデオ再生方法。
【請求項９】
ＣＣＩＲビデオ信号を受け取りそれを画像データに変換するＣＣＩＲ変換器、ならびに前記画像データを受け取ってタイミング制御信号およびピクセルデータを出力するタイミングコントローラとを含む制御回路と、
前記ピクセルデータおよび前記タイミング制御信号を受け取り、前記ピクセルデータおよび前記タイミング制御信号に応じて画像フレームを表示するディスプレーパネルとを含むディスプレーモジュール。
【請求項１０】
前記ＣＣＩＲ変換器が、
前記ＣＣＩＲビデオ信号を受け取るＣＣＩＲインターフェースと、
前記ＣＣＩＲインターフェースを介して前記ＣＣＩＲビデオ信号を受け取り、前記ＣＣＩＲビデオ信号に応じて前記画像データを出力する信号変換器とを含む、請求項９のディスプレーモジュール。
【発明の詳細な説明】
【技術分野】
【０００１】
本発明は一般にビデオ再生システムおよびそのビデオ再生方法に関し、さらに詳しくは、電力消費を低減できるビデオ再生システムおよびそのビデオ再生方法に関する。
【背景技術】
【０００２】
本願は２００４年７月２８日出願の台湾特許願第９３１２２６２６号の利益を主張するものであり、その内容は本明細書に引用により組み込まれる。
技術の発達に伴い、今日エレクトロニクス関連企業は製品開発の重点を軽量で薄くて短く小さい部品の使用だけでなく、より省電力の製品の開発においている。特に携帯用ＤＶＤプレーヤーのような携帯用パーソナル娯楽システムに関しては、消費者はプレーヤーの駆動を主に内蔵バッテリーに頼るので、製品の設計において消費電力を考慮することが特に重要である。
【０００３】
図１Ａは従来のビデオ再生システム１００である。ビデオ再生システム１００はビデオプレーヤー１１０、制御回路１３０およびディスプレーパネル１８０を含む。図ではディスプレーパネル１８０はアナログディスプレーパネルであると仮定されている。ビデオプレーヤー１１０はＭＰＥＧデコーダ１１２、ビデオプロセッサ１１４、および画像エンコーダ１１６を含む。ＭＰＥＧデコーダ１１２はコンパクトディスクから読み出された符号化（エンコード）されたデータを受け取り、復号化（デコード）されたデータを出力するものである。ＭＰＥＧデコーダ１１２はＭＰＥＧ１、ＭＰＥＧ２およびＭＰＥＧ４などにおけるような復号方法を提供する。ビデオプロセッサ１１４は復号化されたデータを受け取り、ディジタル形式のビデオデータＤ０を出力する。画像エンコーダ１１６はディジタル形式のビデオデータを受け取り、ディジタルのビデオデータを複合ビデオまたはＳビデオデータのようなアナログのビデオデータＡ１に変換する。画像エンコーダ１１６はまた、タイミング制御信号Ｃ１も出力する。
【０００４】
制御回路１３０は同期セパレータ１３１、タイミングコントローラ１３２、および画像デコーダ１３４を含む。同期セパレータ１３１はビデオプレーヤー１１０からタイミング制御信号Ｃ１の出力を受け取り、タイミング制御信号を異なる同期タイミング信号に分離し、最後にタイミング制御信号Ｃ１を出力するものである。画像デコーダ１３４は画像データＡ１を受け取り、画像データＡ１をディジタル化および復号化し、最後に画像データＤを出力するものである。するとタイミングコントローラ１３２は画像データＤをアナログのピクセルデータＰに変換し、タイミング信号Ｃ２に従ってアナログのピクセルデータＰを出力する。
【０００５】
図１Ｂは画像デコーダ１３４のブロック図である。画像デコーダ１３４はアナログ入力インターフェース１４１、Ａ／Ｄコンバータ（ＡＤＣ）１４２、画像プロセッサ１４３およびスケーラ１４４を含む。画像データＡ１は先ずアナログ入力インターフェース１４１に与えられてからＡＤＣ１４２に供給されてディジタルデータに変換され、そして画像プロセッサ１４３とスケーラ１４４とによって処理されて出力画像データＤとなる。画像プロセッサ１４３は輝度、色相および階調調整のような様々な制御を実行可能であり、またスケーラ１４４は画像サイズの縮小拡大（スケーリング）を実行できる。
【０００６】
上で述べたような制御回路１３０およびディスプレーパネル１８０を有するＣＲＴテレビのような従来のディスプレーは、アナログ信号だけを受け取るように作られている。そのためビデオプレーヤー１１０は、転送する前に、内部で処理されたディジタル信号をアナログの画像データＡ１に符号化しなければならない。その結果、従来のビデオ再生システムは、複数のアナログ−ディジタル（Ａ／Ｄ）およびディジタル−アナログ変換操作を行わなければならず、そのため信号データが失われたり、電力消費が過大になったり、コストや資源を不必要に浪費することとなっていた。
【０００７】
より分かりやすく説明すると、例えば画像エンコーダ１１６は最初にＤ／Ａ変換を行い、次に画像デコーダ１３４がＡ／Ｄ変換を行い、そしてタイミングコントローラ１３２が再度別のＤ／Ａ変換を行う。Ａ／ＤまたはＤ／Ａ信号変換を行う間に大量の電力が消費され、しかも従来のビデオ再生システムは信号が多段階のＡ／ＤおよびＤ／Ａ変換を経ることを必要とするので、電力消費を効果的に低減することはできない。
【発明の開示】
【発明が解決しようとする課題】
【０００８】
そこで本発明の目的は、電力消費を低減できるビデオ再生システムおよびそのビデオ再生方法を提供することである。
【課題を解決するための手段】
【０００９】
国際無線通信諮問委員会（ＣＣＩＲ）のインターフェースが、ビデオデコーダとディスプレー制御ＩＣ（スケーラ、タイミングコントローラ）との間でディスプレーシステムに対して内部的に適用されるインターフェースとして一般に使用されている。ＣＣＩＲインターフェースは本発明では新たな構成として、ビデオ再生システムとディスプレーシステムとの間で実現される。かかる構成により、ビデオ再生システム内ではＤ／Ａ変換は不要となり、またディジタルのディスプレーシステムではＡ／Ｄ変換も不要となる。そのため、より良い画質を実現しながら、システムのコストを効果的に低減できる。同様にアナログの再生システムでは、ビデオプレーヤー内で当初必要とされていたＤ／Ａ変換を無くすことにより、より良い画質を実現できる。
【００１０】
本発明はビデオプレーヤー、制御回路およびディスプレーパネルを含むビデオ再生システムを提供することにより、上記の目的を達成する。ビデオプレーヤーはＣＣＩＲビデオ信号を出力するためのものである。制御回路はＣＣＩＲ変換器とタイミングコントローラとを含む。ＣＣＩＲ変換器はＣＣＩＲビデオ信号を受け取って、それを画像データに変換するためのものである。タイミングコントローラは画像データを受け取り、タイミング制御信号と画像データとを出力するためのものである。ディスプレーパネルは画像データとタイミング制御信号とを受け取って、それに従って画像フレームを出力するためのものである。
【００１１】
本発明はビデオを表示する方法を提供することにより、上記の別の目的を達成する。先ずＣＣＩＲ変換器を利用して、ＣＣＩＲビデオ信号を受け取り、このＣＣＩＲビデオ信号を画像データに変換する。次にタイミングコントローラを使用して画像データを受け取り、そしてピクセルデータおよびタイミング制御信号を出力する。次にピクセルデータおよびタイミング制御信号に従って、画像フレームがディスプレーパネルに表示される。
【００１２】
本発明の他の目的、特徴および利点は、好適な、しかし限定を意図しない実施形態に関する以下の詳細な説明から明らかになるであろう。以下の説明において、添付の図面を参照する。
【発明を実施するための最良の形態】
【００１３】
図２は本発明の実施形態によるビデオ再生システム２００のブロック図である。ビデオ再生システム２００は例えば携帯ＤＶＤプレーヤーであり、ビデオプレーヤー２２０とディスプレーモジュールとを含む。ディスプレーモジュールは制御回路２３０とディスプレーパネル２８０とを含む。ビデオプレーヤー２２０はＣＣＩＲビデオ信号Ｄ１を出力するものである。制御回路２３０はＣＣＩＲビデオ信号Ｄ１を受け取り、それに従ってピクセルデータＰとタイミング制御信号Ｃ２とを出力する。するとディスプレーパネル２８０はタイミング制御信号Ｃ２とピクセルデータＰとに従って画像フレームを表示する。ＣＣＩＲビデオは、国際無線通信諮問委員会（ＣＣＩＲ）が定めた標準ビデオ信号フォーマットである。
【００１４】
ビデオプレーヤー２２０はＭＰＥＧデコーダ２１２、ビデオプロセッサ２１４および画像エンコーダ２１６を含む。ＭＰＥＧデコーダ２１２は符号化されたデータを受け取って、それを、出力するためのデータに復号化するものである。復号化されたデータは、例えばＤＶＤから読み取られたデータである。ビデオプロセッサ２１４は復号化されたデータを受け取ってビデオデータを出力し、すると画像エンコーダ２１６がそのビデオデータを受け取ってＣＣＩＲビデオ信号Ｄ１をディジタル形式で出力する。ＣＣＩＲビデオ信号Ｄ１は例えばＹＣｂＣｒ形式のＣＣＩＲ ６０１／６５６ ４：２：２である。
【００１５】
制御回路２３０はＣＣＩＲ変換器２３４とタイミングコントローラ２３２とを含む。ＣＣＩＲ変換器２３４はＣＣＩＲビデオ信号Ｄ１を受け取り、ＣＣＩＲビデオ信号Ｄ１を画像データＤ２に変換し、そして画像データＤ２からタイミング制御信号Ｃ１を抽出する。するとタイミングコントローラ２３２は画像データＤ２とタイミング制御信号Ｃ１とを受け取り、それに従ってピクセルデータＰとタイミング制御信号Ｃ２とを出力する。
【００１６】
図３はＣＣＩＲ変換器２３４のブロック図である。ＣＣＩＲ変換器２３４はＣＣＩＲインターフェース３１０、同期信号発生器３４０、変換ユニット３２０およびスケーラ３３０を含む。ＣＣＩＲインターフェース３１０はＣＣＩＲビデオ信号Ｄ１を受け取るためのものである。変換ユニット３２０はＣＣＩＲインターフェース３１０を介してＣＣＩＲビデオ信号Ｄ１を受け取り、ＲＧＢビデオ信号を出力する。スケーラ３３０はＲＧＢビデオ信号を受け取ってそのスケーリングを行い、画像データＤ２を出力する。同期信号発生器３４０は、ＣＣＩＲインターフェース３１０を介してＣＣＩＲビデオ信号Ｄ１を受け取り、ＣＣＩＲビデオ信号Ｄ１内に含まれる同期タイミング信号を抽出してタイミング制御信号Ｃ１を発生させる。
【００１７】
本発明の実施形態（図２および図３）と従来の実施形態（図１Ａおよび図１Ｂ）との間の違いは主に、本発明が従来の複合ビデオ信号（ＣＶＢＳ）またはＳビデオインターフェースの代わりにＣＣＩＲインターフェースを使用することである。ＣＣＩＲ変換器のダイ寸法はＣＶＢＳまたはＳビデオデコーダのものと比較してかなり小さいので、コストを効果的に低減することができる。
【００１８】
更に、本発明の実施形態によるＣＣＩＲ変換器の場合、入力ビデオ信号はＡＤＣによるデータ変換を受ける必要が無いので、アナログ−ディジタル変換に伴うデータ損失が防止され、データを最もリアルな形での画像フレームとして提供することができる。
更にまた、従来は通常の画像プロセッサで扱われていた輝度、色相および階調調整が、ビデオプレーヤー２２０によって実行可能となる。そのため、ＣＣＩＲ変換器２３４に求められる機能が大幅に軽減され、そのことはダイ寸法および製造コストの低減に直接結びつく。
【００１９】
本発明の実施形態によるディスプレーパネル２８０は、アナログ形式でもディジタル形式でもよい。ディスプレーパネル２８０がアナログ形式で表示している場合、タイミングコントローラ２３２によって出力されたピクセルデータＰも、インターレースされたＲＧＢのようなアナログ形式であり、ディスプレーパネル２８０がディジタル形式で表示している場合は、ピクセルデータもまたＬＶＤＳ、ＤＶ１などのようなディジタル形式である。
【００２０】
本発明の上記の実施形態によるビデオ再生システムは、以下のような利点を有すると結論できる：
１．コスト削減
復号化のための画像デコーダを使用する必要が無いので、画像デコーダを製造するコストを減らすことができ、そのため全体のシステムコストが効果的に削減される。
２．良好な画質
この新しいシステムアーキテクチャによれば、ビデオ信号はディジタル−アナログ変換もアナログ−ディジタル変換も受けない。したがって変換の間にデータが失われることが防止され、そのためデータを最もリアルな形での画像フレームとして提供することができる。
３．電力消費の節約
ビデオプレーヤーからのビデオ出力はディジタル形式のＣＣＩＲビデオ信号である。したがって出力の間、ビデオプレーヤーはＤ／Ａ変換を行う必要が無く、制御回路内のＣＣＩＲ変換器もＡ／Ｄ変換を行う必要が無い。本発明は不要なＡ／ＤおよびＤ／Ａ変換を省略するので、消費電力を効果的に低減することができる。
４．制御回路をディスプレーパネルと一体化することができ、その結果ビデオ再生システムの寸法を更に低減できる。
【００２１】
本発明を例および好適な実施形態によって説明してきたが、本発明はこれらに限定されないことを理解すべきである。本発明は様々な変形ならびに同様の構成および手順を網羅することが意図されており、したがってかかる変形ならびに同様の構成および手順を網羅するように、添付の特許請求の範囲を最も広く解釈すべきである。
【図面の簡単な説明】
【００２２】
【図１Ａ】従来のビデオ再生システムを示す。
【図１Ｂ】従来のビデオ再生システムを示す。
【図２】本発明の実施形態によるビデオ再生システムのブロック図である。
【図３】ＣＣＩＲ変換器のブロック図である。
【符号の説明】
【００２３】
２１２：ＭＰＥＧデコーダ
２１４：ビデオプロセッサ
２１６：画像エンコーダ
２２０：ビデオプレーヤー
２３０：制御回路
２３２：タイミングコントローラ
２３４：ＣＣＩＲ変換器
２８０：ディスプレーパネル
３１０：ＣＣＩＲインターフェース
３２０：変換ユニット
３３０：スケーラ
【図１Ａ】
2006042305.tif 000003
【図１Ｂ】
2006042305.tif 000004
【図２】
2006042305.tif 000005
【図３】
2006042305.tif 000006